(57)【特許請求の範囲】
【請求項１】
圧延ケイ素鋼板を多数枚積層したＴ形の磁性体コアと、
前記磁性体コアの脚部の周囲にて、互いの間にコイル冷却用間隙を設けて複数回巻設されたコイル状の導体と、
コイル冷却用通気孔を有し、前記磁性体コアとコイル状の導体とが収納され、磁性体コアの脚部が嵌まり込む凹部が内側に形成された凸部をその下面中央に有するケーシングと、
コイル冷却用間隙を通流する冷却気体をケーシングに供給、又はケーシングから排出する冷却機構とで構成されたことを特徴とする連続磁気パルス発生装置。
【請求項２】
請求項１に記載の連続磁気パルス発生装置において、磁性体コアとケーシングとの間に、コア冷却用間隙を設けたことを特徴とする連続磁気パルス発生装置。
【請求項３】
請求項２に記載の連続磁気パルス発生装置において、ケーシングに、コア冷却用間隙に連通するコア冷却用通気孔を設けたことを特徴とする連続磁気パルス発生装置。
【請求項４】
圧延ケイ素鋼板を多数枚積層したＴ形の磁性体コアと、
前記磁性体コアの脚部の周囲にて、互いの間にコイル冷却用間隙を設けて複数回巻設されたコイル状の導体と、
前記磁性体コアとコイル状の導体とが収納され、磁性体コアの脚部が嵌まり込む凹部が内側に形成された凸部をその下面中央に有するケーシングと、
コイル冷却用間隙に配設され、内部を冷却液体が通流する冷却パイプとで構成されたことを特徴とする連続磁気パルス発生装置。
【請求項５】
請求項４に記載の連続磁気パルス発生装置において、磁性体コアに冷却パイプが更に巻設されていることを特徴とする連続磁気パルス発生装置。
【請求項６】
請求項４又は５に記載の連続磁気パルス発生装置において、磁性体コアとケーシングとの間に、コア冷却用間隙を設けたことを特徴とする連続磁気パルス発生装置。
【請求項７】
請求項２又は６に記載の連続磁気パルス発生装置において、コア冷却用間隙に断熱材を設けたことを特徴とする連続磁気パルス発生装置。
【発明の詳細な説明】
【技術分野】
【０００１】
本発明は四肢の運動機能を強化するために、末梢神経、或いは大脳皮質運動野を繰り返し磁気刺激する際に、磁性体コア及び冷却機構を有するコイルを使用することで、磁気刺激効果を高める装置に関する。
【背景技術】
【０００２】
現在、脳卒中による片麻痺や脊髄損傷による四肢麻痺を有する患者は２００万人に達しており、日本の年齢構成の推移によって、その数は更に増加している。脳損傷によって四肢麻痺が長期間継続すると、廃用症候群によって筋肉の機能が著しく低下し、回復が困難な状態になる。片麻痺や四肢麻痺による廃用症候群を防止し、筋肉の機能を積極的に回復させるために運動療法によるリハビリテーションは最も重要な治療法とされている。
【０００３】
脳波を検出し、それをトリガー信号にして電気刺激により麻痺した四肢を動かす「ブレインマシンインターフェース（ＡＭＩ）」技術が注目を集めている。リハビリテーションへの応用を試みられているが、大脳皮質運動野に機能障害がある場合には、目的とする脳波を検出できないという技術的な制約がある。麻痺した四肢を動かさなければ、廃用症候群になって運動機能の回復が困難になる。そこで、介助や機器によって運動を補助するリハビリテーションが広くおこなわれている。一方、脳機能障害のため麻痺した四肢を自発的に運動させることは容易ではないが、神経や筋肉に異常がなければ外部の物理的な刺激によって動かすことは可能である。
【０００４】
末梢神経や大脳皮質運動野を電気的に刺激して筋肉の運動を誘発する方法が開発されている。電気的な方法として、経皮電気的神経刺激ＴＥＮＳが広く用いられている。この原理は外部から電気的に運動神経を刺激することで、手足を動かすことにより、運動機能回復させるものである。電気刺激によって大きな筋収縮を得るためには、強い電気刺激を必要とする。この現象は感電と同じなので電気ショックによる不快感や痛みを伴う。ショックを少なくするために周波数や波形を改良するなど様々な研究が行われてきたが、電気的な刺激により大きな筋収縮を超す場合は疼痛が著しく増すという問題が避けられない。
【０００５】
電気刺激に伴う疼痛は皮膚の表面近くに分布する痛覚神経によって感知される。従って、刺激電極を皮下に埋め込むことにより電気刺激の疼痛を緩和できる。しかしながら、埋め込み電極は常に信号線を体外に出しておく必要があるので、傷口からの細菌感染という大きな問題を伴う。
【０００６】
接触電極を用いないで、神経を電磁気的に刺激する他の方法に磁気刺激法がある。これは、神経の近くに置いたコイルにパルス電流を流して、神経に生じる誘導電流で、神経を刺激して筋肉を動かす方法である。この磁気刺激法は電極を貼り付ける、或いは埋め込むなど工程が不要であり、加えて感電のようなビリビリする電気ショックや痛みがほとんどない。この理由で、前記電気刺激法に比べて強い刺激が可能であり、大きな筋収縮が得られる利点がある。このため、電気刺激は、病気の診断・治療への応用が進んでおり、経頭蓋磁気刺激（ＴＭＳ：Ｔｒａｎｓ−ｃｒａｎｉａｌ  Ｍａｇｎｅｔｉｃ  Ｓｔｉｍｕｌａｔｉｏｎ）として実用化されている。特に磁気刺激を反復するｒＴＭＳと運動療法の組み合わせはリハビリ効果が大きい（非特許文献１，２）。
【０００７】
電気及び磁気刺激によって生じる筋収縮は、（１）筋肉がピクリと単発の収縮、及び、その運動が連続する繰り返し筋収縮と、（２）指が曲がる、或いは、手足が大きく動く連続筋収縮、の２種類に分けられる。（１）の繰り返し筋収縮を起こす装置としては肩こり治療などを目的とする高周波電気刺激装置がある。この装置によって起きる筋収縮は目的部位の筋肉の周期的な振動である。
【０００８】
磁気刺激による筋収縮作用を活用する発明に、特許文献１の尿失禁治療装置がある。この装置は椅子或いは体に固定した磁気刺激用コイルから０．０１〜３テスラのパルス磁場を１〜１００Ｈｚで発生させることによって、膀胱括約筋の周期的な収縮を繰り返すことで、尿失禁治療を行うものである。
【０００９】
尿失禁治療のように単純な筋収縮ではなく、指或いは腕を磁気刺激によって連続的に曲げる技術は特許文献２に示されており、１０ミリ秒間隔で磁気パルスを繰り返して腕の神経を磁気刺激すると、パルス数の増加とともに腕が曲がる距離も増すことが示されている。
【００１０】
磁気刺激の効果は、磁気刺激の繰り返し回数とともに増加する。しかしながら磁気刺激を起こすには、コイルに数百アンペア以上の大電流を流す必要がある。このために連続パルスによる磁気刺激はコイルの発熱・温度上昇が激しく、パルス数を増やすことができないという問題がある。このコイルの発熱が連続磁気刺激を行うための大きな技術的制約となっている。
【００１１】
磁気刺激用コイルの発熱を低減するには、少ない電流で強い磁界が得られる磁性体コア（磁心）付きコイルの使用が有効である。このために経頭蓋磁気刺激用の磁性体コア付き磁気刺激用コイルに関する特許出願がなされている。特許文献３はＯ型磁心の一部を切断し、対向する部分を細くしてそこにコイルを巻くことにより収束磁界を得る磁気刺激装置が開示されている。
【００１２】
上記特許文献２の改良型として、特許文献４は巻線の内側に形成される空間に磁性体を配置した磁気刺激装置を開示している。また、特許文献５には高透磁率の半円から馬蹄形磁心にコイルを巻いてコイルの発熱を少なくし、脳の磁気刺激を行う経頭蓋骨磁気刺激の技術が記載されている。これと類似した形状の磁性体コアに、透磁率や飽和磁束密度の高い強磁性体を使用する技術が特許文献６に示されている。
【００１３】
励磁用のパルス電流は高周波であるためコイル表面のみを流れ、太い線を使っても電気抵抗が大きくなるという問題がある。これを防ぐために、特許文献７は、高周波コイルの常套手段である細いリッツ線を束ねてコイルを巻くことにより、コイルの発熱を低減する技術が記載されている。
【先行技術文献】
【非特許文献】
【００１４】
【非特許文献１】医歯薬出版（株）「磁気刺激法の基礎と応用」、出江著、脳血管障害、Ｐ．１９８
【非特許文献２】中央法規出版（株）「回復する身体と脳」、出江著、磁気刺激により麻痺が改善した例、Ｐ．１８３
【特許文献】
【００１５】
【特許文献１】特開平１０−２３４８７０号公報
【特許文献２】特開２０１０−１６６９７１号公報
【特許文献３】特開平７−１７１２２０号公報
【特許文献４】特開平８−５２２３１号公報
【特許文献５】特表２０００−５０４９６６号公報
【特許文献６】特表２００１−５２５９４７号公報
【特許文献７】特開２００２−３０６６１４号公報
【発明の概要】
【発明が解決しようとする課題】
【００１６】
連続磁気刺激によれば、強い磁気刺激効果が得られるので、指や手足の筋肉の大きな運動を誘発できる。しかし、磁気パルスを連発するとコイル電流によるジュール熱のためにコイルが発熱する。コイルの発熱を低減するために透磁率の高い磁性体コアを使用すると、同じ強度の磁界を発生させるためのコイル電流は減少するので、コイルの発熱は低減する。しかしながら、磁性体コア内に発生する渦電流によって磁性体コアが発熱するので、磁性体コア入りのコイルも空心コイルと同じく発熱の問題を有している。本発明は、発熱による温度上昇が少なく、多数回の連続磁気刺激を可能にする連続磁気パルス発生装置の実用化を目的としている。
【課題を解決するための手段】
【００１７】
請求項１に記載の連続磁気パルス発生装置Ａは、冷却に気体６を使用する場合で、
圧延ケイ素鋼板を多数枚積層したＴ形の磁性体コア２と、
前記磁性体コア２の脚部２ａの周囲にて、互いの間にコイル冷却用間隙３を設けて複数回巻設されたコイル状の導体１と、
コイル冷却用通気孔５を有し、前記磁性体コア２とコイル状の導体１とが収納され、磁性体コア２の脚部２ａが嵌まり込む凹部が内側に形成された凸部４ｄをその下面中央に有するケーシング４と、
コイル冷却用間隙３を通流する冷却気体６をケーシング４に供給、又はケーシング４から排出する冷却機構７とで構成されたことを特徴とする。
【００１８】
請求項２は、請求項１に記載の連続磁気パルス発生装置Ａにおいて、磁性体コア２とケーシング４との間に、コア冷却用間隙８を設けたことを特徴とする。
【００１９】
請求項３は、請求項２に記載の連続磁気パルス発生装置Ａにおいて、ケーシング４に、コア冷却用間隙８に連通するコア冷却用通気孔９を設けたことを特徴とする。
【００２０】
請求項４に記載の連続磁気パルス発生装置Ａは、冷却に液体を使用する場合で、
圧延ケイ素鋼板を多数枚積層したＴ形の磁性体コア２と、
前記磁性体コア２の脚部２ａの周囲にて、互いの間にコイル冷却用間隙３を設けて複数回巻設されたコイル状の導体１と、
前記磁性体コア２とコイル状の導体１とが収納され、磁性体コア２の脚部２ａが嵌まり込む凹部が内側に形成された凸部４ｄをその下面中央に有するケーシング４と、
コイル冷却用間隙３に配設され、内部を冷却液体１０が通流する冷却パイプ１１とで構成されたことを特徴とする。
【００２１】
請求項５は、請求項４に記載の連続磁気パルス発生装置Ａにおいて、磁性体コア２に冷却パイプ１１が更に巻設されていることを特徴とする。
【００２２】
請求項６は、請求項４又は５に記載の連続磁気パルス発生装置Ａにおいて、磁性体コア２とケーシング４との間に、コア冷却用間隙８を設けたことを特徴とする。
【００２３】
請求項７は、請求項２又は６に記載の連続磁気パルス発生装置Ａにおいて、コア冷却用間隙８に断熱材１２を設けたことを特徴とする。
【発明の効果】
【００２６】
本発明の連続磁気パルス発生装置Ａは、第１に磁性体コア２の周囲に、互いの間にコイル冷却用間隙３を有するコイル状の導体１が複数回巻設され、該コイル冷却用間隙３に気体６を流すことで、或いは、コイル冷却用間隙３に配設された冷却パイプ１１に冷却用液体１０を流すことで、大電流を連続的に流したとしても導体１に発生したジュール熱は冷却用気体６又は冷却用液体１０によって奪い去られ、導体１の温度を適切な温度に保つことが出来る。
【００２７】
更に、磁性体コア２とケーシング４との間に、コア冷却用間隙８を設けることで、磁性体コア２の昇温も抑えることが出来る。更に、ケーシング４に、コア冷却用間隙８に連通するコア冷却用通気孔９を設けておけば、コア冷却用通気孔９を通ってコア冷却用間隙８を気体６が通流し、磁性体コア２の冷却も同時に行える。この点は、磁性体コア２に冷却パイプ１１が更に巻設されている場合でも同様である。換言すれば、治療時に連続磁気パルス発生装置Ａのコア収納部分で磁束が集中的に発生している部分が患部に接触しても火傷のような熱的なダメージを生じない温度に抑制できる。更に、コア冷却用間隙８に断熱材１２を設けておけば、仮に、磁性体コア２の温度が適切な温度以上、例えば、８０℃位までに上昇したとしても、断熱材１２により遮断され、患者を害することがない。
【００２８】
このような、冷却機構７を有する連続磁気パルス発生装置Ａを用いれば、脳機能障害等による麻痺のために自発運動が困難な筋肉を、パルス磁界の作用で連続的に大きく運動させることが可能になる。同様の筋収縮効果は電気刺激によっても可能であるが、電気刺激は、（１）感電に類似する不快感と疼痛を伴い、（２）電極を貼り付ける、或いは埋め込む手数がかかり、（３）通電に伴う火傷の危険性がある。しかし、磁気刺激はこれらの（１）〜（３）の問題がない。脳機能障害によって四肢麻痺が生じても、神経系と筋肉は損傷を受けていないので、適切なリハビリテーション治療を施すことにより、運動機能を回復することができる。しかしながら、意識障害を伴う、或いは寝たきりの状態が続くと、廃用症候群のために運動機能を回復することができなくなる。本発明の冷却機構７を有する連続磁気パルス発生装置Ａを用いて連続磁気刺激を行えば、麻痺した四肢や指の筋肉を効果的に運動させることができるので、リハビリテーション効果を画期的に高めることが期待される。  
【図面の簡単な説明】
【００２９】
【図１】本発明の斜視図である。
【図２】図１の冷却機構の変形例の斜視図である。
【図３】図１の断面図である。
【図４】本発明のコアの変形例の断面斜視図である。
【図５】本発明の冷却機構が水冷の場合の断面斜視図である。
【図６】図１の冷却機構の更なる変形例の要部断面斜視図である。
【発明を実施するための形態】
【００３０】
次に、本発明の詳細を実施例に基づいて説明する。なお、この実施例は当業者の理解を容易にするためのものである。すなわち、本発明の明細書の全体に記載されている技術思想によってのみ限定されるものであり、本実施例のみに限定されるものでないことは理解されるべきことである。
【００３１】
本発明の連続磁気パルス発生装置Ａは、磁性体コア２がＴ形のものと、単なる板状のものとがあり、冷却方式には空冷の場合と水冷の場合がある。まず磁性体コア２がＴ形で空冷の場合について説明する。連続磁気パルス発生装置Ａは、導体１、磁性体コア２、ケーシング４及び冷却機構７にて構成されている。
【００３２】
磁性体コア２は、薄い絶縁被膜付きの圧延ケイ素鋼板を多数枚積層したものである。図１，２の実施例では圧延ケイ素鋼板をＴ形に形成し、これを積層している。本実施例で使用した圧延ケイ素鋼板は、厚さが０．３５ｍｍのものである。
【００３３】
導体１は、長尺の銅板をコイル状に巻き付けたもので、その表面には絶縁被膜が形成されている。本実施例では導体１の厚みは２ｍｍ、幅１３ｍｍとし、互いに接触しないようにコイル冷却用間隙３を設けて長尺の銅板をコイル状に巻回した。本実施例では１０巻とした。コイル冷却用間隙３は本実施例では１ｍｍとした。絶縁被膜はウレタン樹脂を用い、導体１表面の放熱を妨げないように薄くした。本実施例では絶縁被膜の厚みは２０μｍとした。なお、本実施例では、導体１は、長尺の銅板をコイル状に巻き付けたものとしたが、これに限られずコイル冷却用間隙３が設けられるようなものであれば足り、例えば、コイル冷却用間隙３を設けて銅線をコイル状に巻いたものでもよい。
【００３４】
ケーシング４は、磁性体コア２とコイル状の導体１とを収納する樹脂製（ここではポリエチレン製）のもので、上面が開口した本体４ａと、その開口を覆う蓋部４ｂとで形成されており、図示しないボルトで固定され、前記上面開口が閉塞されている。蓋部４ｂの上面には取っ手４ｃが必要に応じて設けられている。患者の患部に接触する本体４ａの下面中央に下方に膨出した凸部４ｄが形成されている。そして、凸部４ｄの周囲において本体４ａの下面に多数のコイル冷却用通気孔５がコイル状に巻き付けた導体１のコイル冷却用間隙３に一致する位置に多数穿設されている。また、凸部４ｄにも、本実施例ではコア冷却用通気孔９が多数穿設されている。
【００３５】
冷却機構７は、本実施例では空冷なので、図１の場合は本体４ａの側面に設けた通気ノズル７ａ或いは図２に示す本体４ａの側面の通気部７ｃに設けたファン７ｂがこれに相当する。通気ノズル７ａは図示しない排気装置に接続され、ケーシング４内の空気が吸引される。（或いは給気装置によりケーシング４内に冷却用空気が吹き込まれる。）図では通気ノズル７ａ或いはファン７ｂはケーシング４の側面に設けられているが必ずしもこの位置に限られるものではない。
【００３６】
コイル状に巻かれた導体１は、本体４ａ内に収容され、前述のようにコイル状に巻かれた導体１のコイル冷却用間隙３が本体４ａのコイル冷却用通気孔５に一致するように配置され、図示しない固定部材（或いは接着）によって本体４ａに固定される。一方、Ｔ形の磁性体コア２の脚部２ａをコイル状に巻かれた導体１の中心部分の空間部に挿入される。該脚部２ａは本体４ａの凸部４ｄの内側の凹部に嵌まり込み、コイル状に巻かれた導体１は脚部２ａの周囲を渦巻き状に取り巻いた状態となる。そして、脚部２ａの下端はコイル状に巻かれた導体１の下面から若干突出した状態（本実施例では突出量は３ｍｍである。）になる。また、脚部２ａの下端面は凸部４ｄの内側の凹部から離間した状態（この離間空間部分がコア冷却用間隙８となる。）で磁性体コア２が本体４ａに図示しない固定部材或いは接着などのような方法で固定される。
【００３７】
次に、本装置Ａの使用について説明する。本装置Ａを患者の腕の皮膚表面に接触させた状態でコイル状の導体１にパルス電流を連続的に通電すると、前記磁性体コア２の表面に磁気パルスが発生し、筋肉内の正中神経を刺激した。これによって痛みを生じることなく手首は大きく内側に曲がった。また、足の大腿四頭筋を刺激すると、歩く程度の速度で足が前に大きく蹴り出された。この時の通電条件は、コイルに流すピーク電流を１６００Ａとしており、パルス幅０．２ミリ秒のバイフェージック波形（プラスとマイナスに各一波）の磁気パルスを毎秒50発で１００発程度発生させている。勿論、通電条件はこれに限られるものではなく、患者毎に適切な条件が選定される。また、効率は低下するものの、磁気パルスの波形はモノフェージック（プラス又はマイナスの一波）でもよい。
【００３８】
そして、通電中、冷却機構７は作動を続け（即ち、通気ノズル７ａやファン７ｂによる排気や給気）、コイル冷却用通気孔５から冷却用の空気が流れ込み、コイル状の導体１の熱を奪う。そして、この空気は磁性体コア２とケーシング４との間のコア冷却用間隙８にも流れ、凸部４ｄ及び磁性体コア２の脚部２ａを冷却する。
【００３９】
室温２５℃において、磁気パルスを１分間連続して発生させた場合（総パルス数３０００発）、磁性体コア２の脚部２ａの表面中央の温度は４５℃であり、患者に熱的危険性を生じるものでなく、この冷却効果は十分であった。
【００４０】
なお、上記と同じ条件下（ただし、通電時間は１０秒で連続５００発）で冷却機構７を停止すると、同表面温度は６０℃を越え、火傷の危険性が生じた。
【００４１】
また、前述のように磁性体コア２とケーシング４との間のコア冷却用間隙８に冷却空気を流してもよいが、より高い冷却効果を得るため、ケーシング４の凸部４ｄに、コア冷却用間隙８に連通する磁性体コア冷却用通気孔９を設けて外部から冷却空気をコア冷却用間隙８に取り込むようにしてもよい。また、磁性体コア冷却用通気孔９に代えて冷却用間隙８に断熱材１２を設けてもよい。
【００４２】
図４は磁性体コア２の他の実施例で、磁性体コア２は上記ケイ素鋼板を角棒状に積層し、その上部を例えばアルミニウム製の放冷フィン１３の通孔１３ｂに圧入して全体の形がＴ形になるように装着した例である。放冷フィン１３には放冷用間隙１３ａが上下方向に多数形成されており、空気が放冷用間隙１３ａを通過することで熱が奪われ、放冷フィン１３に接する磁性体コア２の温度が低下する。なお、薄い絶縁膜で覆われた導体１の上面を放冷フィン１３に接触させればここから導体１の熱が放冷フィン１３に移動し、導体１の冷却を促進させることも可能である。なお、磁性体コア２はＩ形でもＴ形でもパルスの現れ方は変わらないが、Ｔ形にするメリットは、下記のとおりである。
１  同じ磁路面積とした場合に表面積が大きくなるため冷却しやすい。
２  高さ方向を抑えることができるためコイルがコンパクトになる。
３  磁束が上に抜けないため、コイル上部にファンなどの外部磁界に弱い機器を配置することができる。
【００４３】
図５は、水冷の場合で、磁性体コア２の脚部２ａ又はコイル状の導体１或いはその両方に接するように冷却パイプ１１が回設され、冷却流体が流されるようになっている。これにより、脚部２ａや導体１のより効果的な冷却がなされる。
【符号の説明】
【００４４】
Ａ：連続磁気パルス発生装置，１：導体，２：磁性体コア，２ａ：脚部，３：コイル冷却用間隙，４：ケーシング，４ａ：本体，４ｂ：蓋部，４ｃ：取っ手，４ｄ：凸部，５：コイル冷却用通気孔，６：冷却気体，７：冷却機構，７ａ：ノズル，７ｂ：ファン，７ｃ：通気部，８：コア冷却用間隙，９：コア冷却用通気孔，１０：冷却液体，１１：冷却パイプ，１２：断熱材，１３：放冷フィン，１３ａ：放冷用間隙，１３ｂ：通孔。
【図１】
0005893689.tif 000002
【図２】
0005893689.tif 000003
【図３】
0005893689.tif 000004
【図４】
0005893689.tif 000005
【図５】
0005893689.tif 000006
【図６】
0005893689.tif 000007